Podtech/llm-jp-corpus-v4-ja_patent huggingface dataset:
(57)【要約】【課題】  通り過ぎる人たちの広告メッセージに対する注意を一層呼び起こし、広告効果を高めた、気流膨張風船型広告装置。【解決手段】  バルーン２の外面の広告メッセージ２ａの一部に、発光体（ＬＥＤなど）２ｂを設ける。【選択図】  図１
0003108665.tif 000002
【実用新案登録請求の範囲】
【請求項１】
光透過性または色彩の異なる部分から成る広告メッセージを外面、内面、面内の少なくとも一つに有する光透過性かつ可撓性の皮膜から成るバルーンと、このバルーンを支持する基底部から成り、前記基底部に、前記バルーンを照明するための光源部と、前記バルーンを膨張させるための送風器とを具える広告装置において、
前記バルーンの外面、内面、面内の少なくとも一つに発光体を設けたことを特徴とする広告装置。
【請求項２】
前記発光体が発光半導体である、請求項１の広告装置。
【請求項３】
前記発光体が液晶発光体である、請求項１の広告装置。
【請求項４】
前記基底部に前記発光体のための電源部を具え、この電源部と前記発光体がコネクターと可撓性の配線を介して接続される、請求項１の広告装置。
【請求項５】
前記バルーンの前記基底部に近い部分が、必要に応じ開裂でき、前記コネクターの着脱操作を可能にした、請求項４の広告装置。
【請求項６】
前記バルーンが、広告装置の使用中静止している、請求項１ないし５いずれかの広告装置
【考案の詳細な説明】
【考案の詳細な説明】
【技術分野】
【０００１】  本考案は広告装置、特に見る者の注意を惹き易い、気流膨張風船型の広告装置に関する。
【背景技術】
【０００２】  広告装置の一つとして気流膨張風船型のものがある。これは、光透過性または色彩の異なる部分から成る広告メッセージを外面、内面、面内の少なくとも一つに有する光透過性かつ可撓性の皮膜から成るバルーン（風船）と、これを支持する基底部から成り、基底部に、バルーンを照明するための光源部と、バルーンを膨張させるための送風器を具える装置である。
【考案が解決しようとする課題】
【０００３】  しかし、この種の広告装置はそれをはじめて見る人の注意をひくが、見慣れると存在を忘れられる傾向がある。特に広告メッセージが静止していると、そうなり易い。
【０００４】  本考案の目的は、広告メッセージが静止していても、繰り返し見る者の注意をひき易い広告装置を提供することにある。
【課題を解決するための手段】
【０００５】  上記目的を達するため、本考案は、光透過性または色彩の異なる部分から成る広告メッセージを外面、内面、面内の少なくとも一つに有する光透過性かつ可撓性の皮膜から成るバルーンと、これを支持する基底部から成り、基底部に、バルーンを照明するための光源部と、バルーンを膨張させるための送風器とを具える広告装置において、バルーンの外面、内面、面内の少なくとも一つに発光体を設けたことを特徴とする。
【０００６】  発光体は発光半導体（例えばＬＥＤ）でもよいし、液晶発光体（ＬＣＤ）でもよい。白熱電灯でもよいが、発熱量が大きく、温度が上昇するのが不都合である。発光体のための電源部は、発光体のごく近くのバルーンの裏面又は表面に設けてもよいが、電源部は重量を伴うので、基底部に具えることが好ましい。電源部と発光体はコネクターと可撓性の配線を介して接続されるのが、実用上好都合である。バルーンの基底部に近い部分が必要に応じ開裂できるようにすると、コネクターの着脱操作が容易である。
【考案の最良の実施の形態】
【０００７】（実施形態の構成）
図１は、本考案の広告装置の実施の一形態を示す。広告装置は基底部１と、バルーン２から成り、バルーン２はその外面に広告メッセージ２ａを有する。広告メッセージ２ａの上部の外面にはＬＥＤ２ｂを設けてある。バルーン２の下部の一部には、裂け目２ｃが設けてあり、ファスナー２ｄで閉じてある。ファスナー２ｄは必要に応じ開放できる。基底部１の側面には、ＬＥＤ用電源部のためのスイッチ５ｃを具える。
【０００８】  図２は、図１の広告装置の内部を示す（一部断面図）。基底部１は、送風器３、光源部４、およびＬＥＤ用電源部５を具え、光源部４は光源４ａと反射鏡４ｂを具える。ＬＥＤ２ｂはＬＥＤ用電源部５と、配線５ａおよびコネクター５ｂで接続されている。ＬＥＤ用電源部５は基底部側面のスイッチ５ｃ（図１参照）でオンオフされる。
【０００９】（実施の形態の動作）
図１および図２に示した広告装置の動作を、以下に説明する。送風器３を作動させると、バルーン２が膨張する。バルーン２が充分膨張したら、光源部４の光源４ａを点灯して、広告メッセージ２ａを照明する。スイッチ５ｃをオンにすると、広告メッセージ２ａの外面に設けたＬＥＤ２ｂが発光する。
【００１０】（実施の形態の効果）
光源４ａにより照明された広告メッセージ２ａの一部に、注意をひく形状にしたＬＥＤ２ｂが発光するから、広告装置を見て通り過ぎる人たちの広告メッセージ２ａに対する注意を一層呼び起こすので、広告効果が高まる。
【図面の簡単な説明】
【図１】  本考案の実施の一形態である広告装置の側面図。
【図２】  本考案の実施の一形態である広告装置の一部破断断面図。
【符号の説明】
１    基底部
２    バルーン
２ａ  広告メッセージ
２ｂ  ＬＥＤ
２ｃ  裂け目
２ｄ  ファスナー
３  送風器
４  光源部
４ａ  光源
４ｂ  反射鏡を
５  ＬＥＤ用電源部
５ａ  配線
５ｂ  コネクター
５ｃ  スイッチ
【図１】
0003108665.tif 000003
【図２】
0003108665.tif 000004
(57)【要約】【課題】    本考案は、金属製で少なくても２種類の大きく太さの違うローソクを安全に、清潔に、室内、野外で立てられるようにする。【構成】  本法案は金属製の本体１の形状にする事により、ボーティブキャンドルローソク５とローソク６の大きさの異なったローソクを立てられるようにし、更に、丸筒パイプ２を本体１に入れる事でローソク６をより安定させ、水を少量入れ、台座３と組合す。【選択図】      図９ａ
0003108667.tif 000002
【実用新案登録請求の範囲】
【請求項１】
金属板で、絞り加工された有低筒部に連設され、かつチュウリップ状の受け皿と前記有低筒部とチュウリップ状に挿嵌される挿入ローソクの外軽に対応する寸法を備えた丸筒パイプと、その丸筒パイプを介して、前記有低筒部に挿入されたローソクと、この有低筒部との間に形成される隙間と、前記有低筒部の底部の隙間に充填され前記ローソクを安定させることができ、前記チュウリップ状の受け皿部にボーディブキャンドルローソクが立てられるように構成された安全ローソク立て。
【考案の詳細な説明】
【技術分野】
【０００１】  本考案は、室内、野外などの様々な場所で形状の違うローソクが安全に立てられるローソク立である。
【背景技術】
【０００２】  従来のローソク立ては、突起体を固設し、円筒型の火屋の着脱自在に取付けた物を利用していた。又、ガラスの風防などを利用してローソクを灯していた。
【考案の開示】
【考案が解決しようとする課題】
【０００３】  従来のローソク立は、突起体を個設して、其処にローソクを立てていたので、熱により曲がって倒れたり、隣接のカバーなど焼いたり危険である。又、ボーティブキャンドルローソクなど長時間灯るローソクなどは、ガラスのコップ状の容器を使用しているので熱で、割れたりして危険である。以上の問題点を課題として研究に取り組んだ。
【課題を解決するための手段】
【０００４】  本考案は、上記の課題を解決するために金属板を絞り加工し、有低筒部とチュウリップ状の受け皿状にすることで、少なくても２種類の大きく太さが違うローソクを立てることができ、少量の水を入れることで蝋の熱垂れを防ぎ、掃除も簡単にできるようにした。
【考案の効果】
【０００５】  ボーティブキャンドルローソク５の使用時は、従来、ガラスコップであり、炎がガラスに当たるとすぐ割れて使用する度に色々と問題がある。危険な場所、或いは神仏の前に使用できない場所が多くあり非常に困っていた。その欠点を完結に解消する為、金属板を絞り加工し、その不安を取り除き安心して使用して頂ける商品であり、使用する前に少量の水を入れて使用すれば安全である。使用例は、図９ａの通りである。
【考案が実施するための最良の形態】
【０００６】  安全ローソク立ての形能について、ボーティブキャンドルローソク５が使用出来る。又ローソク６も使用可能なように製作された形状であり、なおかつ、台座３と調和の取れたデザインに構成し、簡単に使いやすくした金属性の商品である。
【実施例】
【０００７】  以下の本考案の実施例を図面で説明すると図７は全体の正面図で、図８は全体の断面図である。
この実施例図９ａ、図９ｂ、はローソク立とし大きさの異なるボーディブキャンドルローソク５とローソク６を立てることの出来る正面図である。【０００８】  ローソク６を使用する場合、図８に示したように、ローソクの形状に合わせた丸筒パイプ２の中に入れる事によりローソク６の倒れを無くし安心して使う事ができる。【０００９】  丸筒パイプ２が隠れるくらい水を入れると燃焼途中ローソクが小さくなると浮上して最後まで綺麗に燃焼、水を入れることで蝋の掃除が簡単に出来る。【００１０】  図９ａのようにボーティブキャンドルローソ５が使用できることでお盆の万燈供養で灯る時間が長くなり今まで全燈することが出来ず大変困るとの声があったが、解決することが出来た。【００１１】  図９に示したように、ローソク６をボーティブキャンドルローソク５に変える事を自由に選択出来る事を特徴とする。【００１２】  台座３の中心の穴４を利用して、ビスネジにて台座３を固定して使用すれば、どんな場所でも安心して使用可能になる。又、ビスネジ不可の場合は、両面テープにて固定すれば良い。【００１３】  図１０に示したように、灯篭の中に入れて使用すれば、尚一層の機能を発揮する事ができる。他に石の墓前灯篭、又は、ローソクを多く立てる献灯台の中に使用すれば、蝋の流れを防ぎ何度使用しても安定して使う事が可能である。
【図面の簡単な説明】
【図１】  本体の正面図
【図２】  本体の断面図
【図３】  丸筒パイプの正面図
【図４】  丸筒パイプの断面図
【図５】  台座の正面図
【図６】  台座の断面図
【図７】  本考案の正面図
【図８】  本考案の断面図
【図９ａ】  ボーディブキャンドルローソク使用例の正面図
【図９ｂ】  ローソク使用例の正面図
【図１０】  本法案と他の商品を組み合わせ例の正面図
【符号の説明】
１  本体
２  丸筒パイプ
３  台座
４  台座の底の穴
５  ボーディブキャンドルローソク
６  ローソク
【図１】
0003108667.tif 000003
【図２】
0003108667.tif 000004
【図３】
0003108667.tif 000005
【図４】
0003108667.tif 000006
【図５】
0003108667.tif 000007
【図６】
0003108667.tif 000008
【図７】
0003108667.tif 000009
【図８】
0003108667.tif 000010
【図９ａ】
0003108667.tif 000011
【図９ｂ】
0003108667.tif 000012
【図１０】
0003108667.tif 000013
(57)【要約】      （修正有）【課題】地平線近くやサンバイザーの隙間から洩れる太陽光に対応し、一刻一刻移動する太陽光に照準を合わせたサンバイザーを提供する。【解決手段】減光作用のあるＵＶカット、有色、透明な平板を折りたたみ可能にして、自由自在に曲がり形を保持するワイヤーに連結し、ワイヤーの反対先をクリップに連結し、従来のサンバイザーにクリップを使いとめて、目線の先の太陽光に減光体（平板）を手動にて合わせる。【選択図】図１
0003108678.tif 000002
【実用新案登録請求の範囲】
【請求項１】
減光作用のあるＵＶカット、有色、透明な平板を折りたたみ可能にして、自由自在に曲がり形を保持するワイヤーに連結し、ワイヤーの反対先をクリップに連結した、目線の先の太陽光に照準を合わせるサンバイザー。
【考案の詳細な説明】
【技術分野】
【０００１】
従来のサンバイザーでは地平線近くや、車に装備されているサンバイザーの隙間から洩れる太陽光に対応したサンバイザーが少なくまぶしさの為視界が到って見えにくく、また、一刻一刻移動する太陽に照準を合わせた透明なサンバイザーが有りませんでした。
【背景技術】
【０００２】
従来の技術では、前面ガラスに吸着盤付きの日よけ具を取り付けたサンバイザー、あるいは従来のサンバイザーに取り付けた、ツインサンバイザーがありました。
【特許文献１】実開平０６−６０３５号公報
【考案の開示】
【考案が解決しようとする課題】
【０００３】
以上に述べた従来のサンバイザーでは地平線近くや、車に装備されているサンバイザーの隙間から洩れる太陽光に対応したものが少なく、眩しさのために視界が到って見えにくく、一刻一刻移動する太陽光に照準を合わせたサンバイザーがありませんでした。
【課題を解決するための手段】
【０００４】
減光作用のあるＵＶカット、有色、透明な平板を折りたたみ可能にして、自由自在に曲がり形を保持するワイヤーに連結し、ワイヤーの反対先をクリップに連結し、従来のサンバイザーにクリップを使いとめて、目線の先の太陽光に減光体（平板）の照準を手動にてあわせる。
【考案の効果】
【０００５】
減光作用のあるＵＶカット、有色、透明な平板を折りたたみ可能にし、手動にて目線の先の太陽に照準を合わせて使うことにより、まぶしさを抑えて視界良好となり、自由自在に曲がり形を保持するワイヤーに連結することにより、一刻一刻、移動する太陽光の位置に対応することが可能となる。
【考案を実施するための最良の形態】
【０００６】
減光作用のあるＵＶカット、有色、透明な３平板を折りたたみ可能にして、自由自在に曲がり形を保持する２ワイヤーに連結し、ワイヤーの反対先を１クリップに連結し、従来のサンバイザーにクリップを使いとめる。
【実施例１】
【０００７】
本発明を図面の実施例について説明すると１クリップ、２自由自在に曲がり形を保持するワイヤー、図1は３減光作用のある平板を取り付けたサンバイザーである。
【産業上の利用可能性】
【０００８】
地平線近くの太陽光や、車に装備されているサンバイザーの隙間から洩れる太陽光に対応したサンバイザーが少なく、まぶしく見えにくく仕方がありませんでした、しかし、短時間のため我慢する人がほとんどでした、本発明は装置も簡単ですから扱いやすく、材料も安価ですし、太陽光の当たる位置に容易に移動できます。
【図面の簡単な説明】
【０００９】
【図１】サンバイザー説明図である。（実施例１）
【図２】サンバイザー使用図である。（実施例２）
【符号の説明】
【００１０】
１    クリップ
２    ワイヤー
３    平板
【図１】
0003108678.tif 000003
【図２】
0003108678.tif 000004
(57)【要約】      （修正有）【課題】蘭の植替えによる、根の痛みを解消する。【解決手段】下枠に開けた小径穴２と、当該小径穴に合致するよう上枠に細い杭１を設け、蘭の成長に伴い、枠を継ぎ足していくことにより、植替えの必要がなくなりこの課題を解決する。【選択図】図１
0003108673.tif 000002
【実用新案登録請求の範囲】
【請求項１】
下枠に開けた小径穴と、当該小径穴に合致するよう上枠に設けた細い杭を備え、蘭の植替えを不要にした、組立て式植木鉢。
【考案の詳細な説明】
【技術分野】
【０００１】  本考案は、蘭に使用する植木鉢に関するものである。
【背景技術】
【０００２】  従来の植木鉢では、根の成長が制限され、数年毎に植替えをしていた（図２）。
【考案の開示】
【考案が解決しようとする課題】
【０００３】  しかし、これでは、植替えの度に根を傷め、蘭の成長が阻害される。さらに、不要になった植木鉢は不燃ごみとなり、環境破壊につながる。
【課題を解決するための手段】
【０００４】  そこで、下枠に開けた小径穴と、当該小径穴に合致するよう上枠に細い杭を設け、蘭の成長に伴い、枠を継ぎ足していける、組立て式植木鉢を考案した（図１）。
【考案の効果】
【０００５】  本考案の植木鉢により、植替えの必要がなくなり、植替えの度に排出される不燃ごみもなくなる。
【考案を実施するための最良の形態】
【０００６】  本考案の植木鉢は、図１に示すように、下枠に開けた小径穴２と、当該小径穴に合致するよう上枠に細い杭１をそなえている。枠と枠の隙間に蘭の根をはさみながら植えていく。素材はすべて木質とすることが望ましく、手で容易に組み立てられる固さとする。
【図面の簡単な説明】
【０００７】
【図１】本考案に係る植木鉢を、組み立ててみた時の断面図と立体図である。
【図２】従来の植木鉢の断面図と立体図である。
【符号の説明】
【０００８】    １    上枠に取り付けた細い杭
２    １に合致するよう、下枠に開けた小径穴
【図１】
0003108673.tif 000003
【図２】
0003108673.tif 000004
(57)【要約】【課題】  蒸気風呂である石風呂装置の床構造であって、浴室内の温度の上昇を早めることを目的とする。【解決手段】  加熱ボイラーＸから循環して供給する加熱用の温水パイプを上下３層とし、このうちの１層を床上層の薬石層内に埋設して、温浴層である薬石層を直接加熱する床構造とする。【選択図】    図１
0003108674.tif 000002
【実用新案登録請求の範囲】
【請求項１】
床層として加熱用のコンクリート層とミネラル成分を放出する薬石細石層とからなる石風呂装置において、加熱用コンクリート層に、平面的に循環する２重層の加熱用温水パイプを設け、更にその上層の薬石層に加熱用の循環パイプを設けて３重層とし、該薬石層に温泉水浸透用のパイプを埋入することを特徴とした石風呂装置の加熱床構造。
【考案の詳細な説明】
【技術分野】
【０００１】
本考案は、薬石類の細砕石を床に敷き詰め、温泉蒸気を充満して、湯のない温泉とする石風呂装置の加熱床構造に関する。
【背景技術】
【０００２】
湯のない温泉として現在利用されている石風呂装置は、床に基礎として設けるコンクリート層に加熱用の湯循環パイプを埋設し、この上層に砂利を敷き詰める床構造である。
【特許文献１】特許第３３９６７７６号公報
【考案の開示】
【考案が解決しようとする課題】
【０００３】
上記公知例に示されている石風呂装置の加熱装置は、床の基礎構造の中のコンクリート層に加熱用の温水循環パイプを平面状に一層として埋設するものである。このため浴室内を適温（約５０℃）にするには１〜２時間を要していた。
【課題を解決するための手段】
【０００４】
考案者はこの点に鑑み鋭意研究の結果本考案を完成したものであって、本考案は、床下に埋設する加熱用の温水循環パイプ（１）を３重に配管し、この中の１層をコンクリート層（５）上の薬石砕石層（６）に埋設し、他の２本の温水循環パイプ（１）をコンクリート層（５）に埋設するもので、このため上層の薬石砕石層（１）はもとより、浴室全体を適温に加温するまでに１０〜１５分に短縮することに成功した。
【考案の効果】
【０００５】
上述したように本考案の石風呂装置は、石風呂内の加温時間を短縮して利用効率を上げ、準備に要する作業時間を短縮できる。
【考案を実施するための最良の形態】
【０００６】
添付図面により本考案を実施するための最良の形態を説明すると、図示されるように石風呂装置Ａの床の構成において、上層の薬石砕石層（６）の中に１層、およびその下層のコンクリート層に２重に加熱用の温水パイプ（１）を合計３重層として設けるため、石風呂Ａ内の温度上昇を早め利用効率をよくすることができる。
【実施例】
【０００７】
添付図面は、本考案の石風呂装置Ａの床構成部分の断面図を示すものであって、図中の符号（１）はボイラーＸに接続された加熱用の温水パイプであり、この温水パイプ（１）は、全体として上下３重式に形成されていて、下の２重は床下層のコンクリート層（５）に埋入され、上の１重は床下層の薬石砕石層（６）に埋入されている。そしてこのパイプ
は図示されているようにボイラーＸによって加熱された温水が循環し、これによって石風呂内は勿論のこと床上の薬石砕石層（６）を適温に加熱することができる。
【０００８】
図中の符号（２）は薬石砕石層（６）内に浸透させる温泉水浸出用のパイプであって、外に設けた温泉水貯槽Ｙに接続していて、石風呂使用時に徐々に温泉水を浸出させていて、この浸透している温泉水は、加熱されることにより蒸気となって石風呂Ａ内に充満される。
【産業上の利用可能性】
【０００９】
本考案の床構造によるときは、石風呂内に適温に加温するために極めて短時間可能となるため作業効率がよく、石風呂装置の従来の欠点が解消できる。
【図面の簡単な説明】
【００１０】
【図１】石風呂装置の床断面図
【符号の説明】
【００１１】
１  加熱用温水パイプ
２  温泉水浸出パイプ
５  加熱用コンクリート層
６  薬石砕石層
Ａ  石風呂
Ｘ  ボイラー
Ｙ  温泉水貯槽
【図１】
0003108674.tif 000003
(57)【要約】      （修正有）【課題】コンクリート打設作業中において、エルボ管の破裂による生コンの飛散事故を防ぎ、安全性を優先した交換時期を知らせる検知穴付き低合金鋳鋼製生コンクリート圧送用エルボー管を提供する。【解決手段】コンクリート打設作業中において、低合金鋳鋼製エルボ管の検知穴から、セメント・ミルクが湧出し破裂前に新品と交換することにより、生コン飛散事故を防ぎ安全性確保を図る。【選択図】図５
0003108671.tif 000002
【実用新案登録請求の範囲】
【請求項１】
生コンクリート圧送用のエルボ管を低合金鋳鋼品にしてエルボの背面部に凸凹の縞模様の骨組にして破断防止と軽量化構造にした、生コンクリート圧送用エルボ管で、摩粍と減肉が、はげしい背面部に検知穴を設け、生コンクリートの摩粍で配管の肉厚が薄くなり、セメントミルクが検知穴より漏れ出して破断前にエルボ管の交換時期を知らせる仕組を特微とする生コンクリート圧送用エルボ管。
【考案の詳細な説明】
【考案の詳細な説明】
この考案は輸送管の形状が変化すると、コンクリートの流れの速度分布が変り、曲り管背面部は大きな流速を受け、同時に粗骨材図７−Ｃがかみあい直接、管内壁図５−ＴＡ、ＴＢをこすり、大きな摩擦を生じるため、摩粍して配管の肉圧が図６−ｔ１、ｔ２の肉厚のように減肉し図７−Ｍのようにモルタル・ミルク漏れとともに霧散することになるので破断前に部品の交換時期を知らせる方法が不可欠だが、従来からあるエルボ管は構造用鋼管を熱間曲げ、又は冷間曲げ加工したものが主流で、出来なかった。
本案はその欠点を除くため考案されたものである。これを図面について説明すれば、生コンクリートの圧送圧力を直接受けるエルボの背面部は特にはげしい図６−ｔ１、ｔ２の肉厚のように配管が磨粍、減肉し破断寸前で交換するが、コスト削減の流れの中で、判断が誤まる場合が多く、その場合でも図７−Ｍ１、Ｍ２、Ｍ３の検知穴よりモルタル・ミルクが湧出す仕組のため、その時点で交換することにより霧散図７−Ｍや破断を防ぐことが出来る。
【図面の簡単な説明】
【図１】  生コンクリート圧送用エルボ管で破断防止と軽量化の縞模様構造の背面図である。
【図２】  図１の右側から見たエルボ管の平面図である。
【図３】  図１の左側から見たエルボ管の平面図である。
【図４】  図３のエルボ管の正面図である。
【図５】  図４のＢ−Ｂ′概略的断面と検知穴要部拡大図である。
【図６】  コンクリート圧送の流速を直接受けるエルボ管の摩粍状態と考案に係る装置の要部概観的断面図である。
【図７】  本考案の摩粍で検知穴からモルタル・ミルクが湧出す仕組を示す要部概観的断面図である。
【符号の説明】
▲１▼  低合金鋳鋼品の９０°エルボ管。
▲２▼  フランヂ（継手）部分（外径１４８φ）。
▲３▼  破断防止用凹部の縞模様を示す。
▲４▼  破断防止用凸部の縞模様を示す。
▲５▼  低合金鋳鋼品エルボ管の使用前内径寸法（１２８φ）を示す。
▲５▼′  エルボ管の内径が磨粍、減肉し破断寸前内径寸法（１３４φ）を示す。
▲６Ａ▼．▲６Ｂ▼．▲６Ｃ▼．検知穴３ヶ所を示す。
▲６Ａ▼−▲６Ａ▼″．▲６Ｂ▼−▲６Ｂ▼′．▲６Ｃ▼−▲６Ｃ▼′．検知穴部分拡大図を示す。
▲ＴＡ▼  使用前のエルボ管内側の肉厚概略寸法（片肉７ミリメートル）を示す。
▲ＴＢ▼  使用前のエルボ管背側凹部の肉厚概略寸法（片肉６ミリメートル）を示す。
▲ＴＣ▼  使用前のエルボ管背側凸部の肉厚概略寸法（片肉９．５ミリメートル）を示す。
▲ｔ１▼  磨粍滅肉して厚みの限界に達したエルボ内側肉厚概略寸法（片肉３ミリメートル）を示す。
▲ｔ２▼  磨粍滅肉して厚みの限界に達したエルボ背側凹部肉厚概略寸法（片肉２ミリメートル）を示す。その時点で検知穴よりモルタル・ミルクが湧出し危険を知らせる肉厚である。
▲ｔ３▼  磨粍滅肉したエルボ背側凸部肉厚概略寸法（片肉５ミリメートル）を示す。
▲ＰＣ▼  生コンクリート。
▲Ｍ▼  モルタル漏れとともに霧散する状態を示す。
▲Ｍ１▼，▲Ｍ２▼，▲Ｍ３▼，モルタル・ミルクが湧出す仕組を示す。
▲Ｃ▼  粗骨材
【図１】
0003108671.tif 000003
【図３】
0003108671.tif 000004
【図４】
0003108671.tif 000005
【図５】
0003108671.tif 000006
【図６】
0003108671.tif 000007
【図７】
0003108671.tif 000008
【手続補正書】
【提出日】平成16年12月6日(2004.12.6)
【手続補正１】
【補正対象書類名】図面
【補正対象項目名】図１
【補正方法】変更
【補正の内容】
【図１】
0003108671.tif 000009
【手続補正２】
【補正対象書類名】図面
【補正対象項目名】図２
【補正方法】変更
【補正の内容】
【図２】
0003108671.tif 000010
(57)【要約】【課題】コップが不要でキャップをコップとして使用し同時に１名以上で飲めたり、ホット用のペットボトルを子供に冷まして飲ませたりできる。屋外での食事で衛生的に回し飲みが嫌な方が飲み易く、会議中に直接口をつけないので上品に飲める。食後、特に女性は口元や口紅の確認を気にして鏡を使用する。調理する即席カップめんの紙フタを押さえる時に隙間が空きにくい。以上の課題を解決できるペットボトル用コップ兼用キャップを提供する。【解決手段】ペットボトル用コップ兼用キャップはキャップ（１）の上部側面にフタはがれ防止用の紙フタ押さえ部（２）を設け、下部の窪み部分にメタリックシルバーの鏡面仕上げシート（３）を設けたコップ兼用キャップとして使用できることを特徴とする。【選択図】図１
0003108614.tif 000002
【実用新案登録請求の範囲】
【請求項１】
キャップ（１）の上部に紙フタ押さえ部（２）を設け、下部に鏡面仕上げシート（３）を設けたペットボトル用コップ兼用キャップ。
【考案の詳細な説明】
【技術分野】
【０００１】  この考案は、鏡の代わりとなるシートで食後の口元や口紅の確認をし、即席カップめんの紙フタをしっかり押さえられるコップとして使用できるペットボトル用コップ兼用キャップに関するものである。
【背景技術】
【０００２】  従来、ペットボトル用のキャップは小さかった。【０００３】  従来、食後、特に女性は口元や口紅を気にして鏡で確認していた。【０００４】  従来、調理する即席カップめんの紙フタは手で折り曲げたりシールや箸等で押さえていた。
【考案の開示】
【考案が解決しようとする課題】
【０００５】  従来のペットボトル用のキャップには次のような欠点があった。
（イ）屋外で１名以上で飲むときや会議中はコップが必要になるときもあった。
（ロ）１名以上で飲むときは回し飲みして衛生的でなく上品でなかった。
（ハ）熱いペットボトルは子供には直接口をつけて飲ませにくかった。
（ニ）食後、特に女性は口元や口紅の確認を気にして鏡を使用していたが、鏡付のキャップは市販されていなかった。
（ホ）調理する即席カップめんの紙フタを手で折り曲げて押さえると緩んできて隙間が空き易かったが、紙フタを押さえるキャップは市販されていなかった。
本考案は、以上の欠点を無くすためになされたものである。
【課題を解決するための手段】
【０００６】  従来のペットボトル用のキャップの代用品としてコップの代わりになるキャップ（１）を設ける。【０００７】  キャップ（１）の上部側面に即席カップめん（４）の紙フタ押さえ部（２）を設ける。【０００８】  キャップ（１）の下部の窪み部分に鏡面仕上げシート（３）を設ける。
本考案は、以上の構成よりなるペットボトル用コップ兼用キャップである。
【考案の効果】
【０００９】  コップが不要でキャップをコップとして使用し同時に１名以上で飲めたり、ホット用のペットボトルを子供に冷まして飲ませたりできる。【００１０】  公園や車内等の屋外での食事で衛生的に考えて回し飲みが嫌な方は飲みやすく、会議中に直接口をつけないので上品に飲めるしコップを準備しなくてよい。【００１１】  食後、特に女性は口元や口紅の確認を気にするので鏡を携帯する必要がない。【００１２】  調理する即席カップめんの紙フタを上下挟んで押さえるので隙間が空きにくい。
【考案を実施するための最良の形態】
【００１３】  以下、本考案の実施の形態について説明する。
従来のペットボトル用のキャップよりやや大きめのコップの代わりになるキャップ（１）を設ける。キャップ（１）の上部側面に即席カップめん（４）のフタはがれ防止用の紙フタ押さえ部（２）を設ける。キャップ（１）の下部の窪み部分にメタリックシルバーの鏡面仕上げシート（３）を設ける。
本考案は、以上のような構造でこれを使用する時は、ペットボトル（５）にキャップ（１）を取り付けておき飲むときにキャップ（１）をコップとして使用し、食後に鏡面仕上げシート（３）を鏡として口元や口紅を確認し、即席カップめん（４）の紙フタ（６）を紙フタ押さえ部（２）で上下挟んで押さえ、はがれ防止用として利用出来る。
【実施例１】
【００１４】  キャップは取り付け時ペットボトルに隙間なく密着するので埃等が侵入しない為、衛生的に使用できる。
【実施例２】
【００１５】  コップとして少しずつキャップに注ぐので自分の好みの分量で飲める。
【実施例３】
【００１６】  ペットボトルが熱い時は紙フタ押さえ部を摘んでコップの取っ手に使用できる。
【実施例４】
【００１７】  焼酎等の紙パックのキャップにも応用して使用できる。
【図面の簡単な説明】
【００１８】
【図１】  本考案の実施方法を示した斜視図である。
【図２】  本考案の実施方法を示した左側面図である。
【図３】  本考案の実施方法を示した右側面図である。
【図４】  本考案の平面図である。
【符号の説明】
【００１９】  １    キャップ
２    紙フタ押さえ部
３    鏡面仕上げシート
４    即席カップめん
５    ペットボトル
６    紙フタ
７    ネジ
【図１】
0003108614.tif 000003
【図２】
0003108614.tif 000004
【図３】
0003108614.tif 000005
【図４】
0003108614.tif 000006
(57)【要約】【課題】  使用中の物干し竿、スタンド式固定型物し干、伸縮型パイプ径の太い物干し竿、どの物干し竿にも、洗濯物ハンガーの量にも応じて取り付け取り外しが簡単にでき、強い風による洗濯物ハンガーのかたより落下を防止し、乾燥後は一気にハンガーの取り込みが出来るアダプター。【解決手段】  パイプの側面一部をパイプに沿って直線状に開放した本体と開放部以外の側面上に洗濯物ハンガーの強い風による横ずれ浮き上りを防止する突起物（ストッパーピン）を本体に沿った直線かつ等間隔に複数配置取り付けた構造で、物干し竿に本体開放部をあてがいおしはめる、より強く固定するときは補助バンドを締め突起部を上方に向けて使用するアダプター。【選択図】    図１
0003108613.tif 000002
【実用新案登録請求の範囲】
【請求項１】
パイプの側面一部をパイプに沿って直線状に開放した本体と開放部以外の側面上に洗濯物ハンガーの強い風による横ずれ浮き上りを防止する突起物（ストッパーピン）を本体に沿った直線かつ等間隔に複数配置取り付けた構造で、物干し竿に本体開放部をあてがいおしはめる、より強く固定するときは補助バンドを締め突起部を上方に向けて使用するアダプター。
【考案の詳細な説明】
【技術分野】
【０００１】本考案はどの物干し竿にも任意の場所に取り付け取り外しが簡単に出来、強い風による洗濯物ハンガーのかたより落下を防止し取り込みも一気に出来るアダプターに関するものである。
【背景技術】
【０００２】従来、物干し竿本体を加工するか、ハンガーのフック部を個別に加工している。
【考案の開示】
【考案が解決しようとする課題】
【０００３】  使用中の物干し竿、スタンド式固定型物し干、伸縮型パイプ径の太い物干し竿、どの物干し竿にも、洗濯物ハンガーの量にも応じて取り付け取り外しが簡単にでき、強い風による洗濯物ハンガーのかたより落下を防止し、乾燥後は一気にハンガーの取り込みが出来るアダプター。
【課題を解決するための手段】
【０００４】  パイプの側面一部をパイプに沿って直線状に開放した本体と開放部以外の側面上に洗濯物ハンガーの強い風による横ずれ浮き上りを防止する突起物（ストッパーピン）を本体に沿った直線かつ等間隔に複数配置取り付けた構造で、物干し竿に本体開放部をあてがいおしはめる、より強く固定するときは補助バンドを締め突起部を上方に向けて使用するアダプター。
【考案の効果】
【０００５】  上述のように、加工された物干し竿を新たに購入するのは費用がかさみ、ハンガー単体に加工或いは取り付け装置を使うのは割高になる。本体においてはその持つ弾力性、構造によってどの物干し竿に対しても抱きかかえるように簡単に取り付けが出来るので使用中の竿も別の竿にでもすぐにその効果が得られ、これを連続的複数使用することで洗濯物ハンガーの量にも応じられる。さらに等間隔に配置されたストッパーピンにより一定の間隔で並べる事が出来、個々の洗濯物に日の当たりも風通しも良くなる。又、突起物（ストッパーピン）の働きで強い風によるハンガーのかたより落下を防止し、乾燥後は、突起部を本体あるいは物干し竿ごと下方に回転することで洗濯物ハンガーを一気に取り込むことが出来る。
【考案を実施するための最良の形態】
【０００６】  本考案は物干し竿に取り付けるアダプターである、取り外した後は大きな洗濯物を竿いっぱいに使用できる。
【実施例】
【０００７】  物干し竿に本体開放部を当ておしはめる事で竿を抱えるように取り付けられ、洗濯物ハンガーかたより落下防止機能を発揮する。本体の両側をはさむように持ち引き離すと物干し竿から取り外せる。
【図面の簡単な説明】
【００１２】
【図１】本考案の全体の形を示す斜視図。（実寸法、実比例ではありません）
【図２】本体の一部、突起部の断面図。（実寸法、実比例ではありません）
【図３】本体の一部、突起部真上より見た平面図。（実寸法、実比例ではありません）
【図４】本体の一部、突起部真横から見た側面図。（実寸法、実比例ではありません）
【図１】
0003108613.tif 000003
【図２】
0003108613.tif 000004
【図３】
0003108613.tif 000005
【図４】
0003108613.tif 000006
(57)【要約】【課題】新聞を紙袋に収納し束ねるに際して、別に紐を用意する、わずらわしさを解消する。【解決手段】  収納する紙袋そのものに束ねるための紐を貼付する。【選択図】  図１
0003108615.tif 000002
【実用新案登録請求の範囲】
【請求項１】
紙袋１の底面から外側面にかけて新聞を束ねるための紐２を貼付した、古新聞収納用の紙袋。
【考案の詳細な説明】
【考案が解決しようとする課題】
【０００１】従来、四ッ折り、すなわちＡ４版大にした古新聞を重ねて収納する紙袋は存在したが、ゴミ集収に出す場合には、別に用意した紐で紙袋を縛らねばならない、という問題があつた。
【問題を解決するための手段】
【０００２】この問題を解決するために、紙袋そのものの底面から外側面にかけて紐を貼付して、別に紐を用意する必要をなくした。
【考案の効果】
【０００３】この紐付き紙袋は紐で縛る時に紙袋そのものに貼付された紐を使用するために、束ねる紐の場所も固定され、束ねるために別に紐を用意しなければならないという、わずらわしさもなくしたものである。
【考案を実施するための最良の形態】
【０００４】  （イ）紐の貼付は新聞収納後に紐を持って紙袋を持ち上げた際に、底が抜けないように底面で十字に交差させて貼付する。
（ロ）外側面の紐は、結び易いように袋側面より長くして、上部分の２／３は袋に貼付せずに自由にする。
（ハ）底面の大きさは四ッ折りにした新聞が入り易いようにＡ４版大とする。
【図面の簡単な説明】
【０００５】
【図１】紐付き新聞収納袋の斜面図である。
【図２】新聞を収納した時の斜面図である。
【符号の簡単な説明】
【０００６】    １  紙袋
２  紐
３  底面の紐の交差点
４  外側面上部の紐の自由部分
５  外側面下部の貼付部分
【図１】
0003108615.tif 000003
【図２】
0003108615.tif 000004
(57)【要約】      （修正有）【課題】自動車で走行中、砂漠等での遭難に対して、簡易・迅速に表示具の提示ができ、また、発見のし易い救難用表示具を開発・提供するものである。【解決手段】耐水性、耐熱性および不通気性素材にて、基礎中空体１を設け、基礎中空体１に、それぞれ、英文字のＳＯＳ等の救難を意味する文字の中空体２ａ,２ｂ,２ｃを連通して設け、これら棒状の基礎中空体１および救難を意味する文字の中空体２ａ，２ｂ，２ｃには蛍光塗料等の発光塗料３を塗布し、これら基礎中空体１に気体の充填口４を設け、基礎中空体１、救難を意味する文字の中空体２ａ，２ｂ，２ｃには、内部に自動車Ｘの排気ガスを充填すると共に、これら中空体には紐５を適宜の箇所に１又は複数本設け、これら紐の先端にはそれぞれフック６を設けた。【選択図】図２
0003108150.tif 000002
【実用新案登録請求の範囲】
【請求項１】
耐水性、耐熱性および不通気性素材にて、基礎中空体（１）を設け、該基礎中空体（１）に、それぞれ、英文字のＳＯＳ等の救難を意味する文字の中空体（２ａ）（２ｂ）（２ｃ）を連通して設け、これら棒状の基礎中空体（１）および救難を意味する文字の中空体（２ａ，２ｂ，２ｃ）には蛍光塗料等の発光塗料（３）を塗布し、これら基礎中空体（１）に気体の充填口（４）を設け、基礎中空体（１）、救難を意味する文字の中空体（２ａ，２ｂ，２ｃ）には、内部に自動車の排気ガスを充填すると共に、これら中空体には紐（５）を適宜の箇所に１又は複数本設け、これら紐（５）の先端にはそれぞれフック（６）を設けたことを特徴とする救難用表示具。
【考案の詳細な説明】
【技術分野】
【０００１】
この考案は、救難用表示具に関するものである。
【背景技術】
【０００２】
従来、内・外国の砂漠等において、自動車等のエンジン・トラブルやナビゲーターの故障等で遭難してしまい、救助を求めることを余儀なくされる場合が往々にある。
【０００３】
このような遭難に対して、一刻も早く救助する必要があるが、現実には困難であり、そのため、救難信号を兼ねた気球は存在した。しかし、この気球では、気球内部に充填するガスを、常時、持ち歩く必要があり、その管理等も煩雑であった。（例えば、特許文献１のように）
【０００４】
さらに、遭難報知シートも存在するが、これは平坦なシートであり、船や冬山での遭難の時に使用すると記載されているが、シート状のものでは、一晩の降雪により、シートは完全に雪で隠れてしまい、発見しにくい場合も考えられる。（例えば、特許文献２のように）
【特許文献１】実開昭６２−１７５３８７号公報
【特許文献２】特開平０５−２４９９０８号公報
【考案の開示】
【考案が解決しようとする課題】
【０００５】
そこで、この考案は、自動車で走行中、砂漠等での遭難に対して、簡易・迅速に表示具の提示ができ、また、発見のし易い救難用表示具を開発・提供するものである。
【考案の効果】
【０００６】
この考案によると、基礎中空体（１）および救難を意味する文字の中空体（２ａ，２ｂ，２ｃ）内に、自動車の排気ガスを用いて、充填するよう構成したため、極めて簡単、かつ迅速に行え、遭難に対して、迅速に救助を求めることが可能となる等極めて有益なる効果を奏するものである。
【０００７】
また、これら中空体（１）、（２ａ，２ｂ，２ｃ）には、発光塗料、あるいは反射塗料を塗布することにより、夜間の捜索においても、ヘリコプターや自動車等のライト等に反射し、注意を喚起でき、発見が容易になる等の効果を奏する。
【０００８】
さらに、これら基礎中空体（１）及び救難を意味する文字の中空体（２ａ，２ｂ，２ｃ）からなる中空体は、使用後、内部の排ガスを抜き、畳んでしまえば、小さくなり、場所を占めず自動車のトランクルームに納めておくことができる等の効果を奏する。
【課題を解決するための手段】
【０００９】
この考案によると、基礎中空体（１）および救難を意味する文字の中空体（２ａ，２ｂ，２ｃ）内に、自動車（Ｘ）の排気ガスを用いて、中空体内部を充填でき、それを表示することにより、遭難現場の発見が容易にできる救難用表示具である。
【考案を実施するための最良の形態】
【００１０】
この考案の一実施例を図面により詳述すると、耐水性、耐熱性および不通気性素材にて、基礎中空体（１）を設け、該基礎中空体（１）に、それぞれ、英文字のＳＯＳ等の救難を意味する文字の中空体（２ａ）（２ｂ）（２ｃ）を連通して設け、これら棒状の基礎中空体（１）および救難を意味する文字の中空体（２ａ，２ｂ，２ｃ）には蛍光塗料等の発光塗料（３）を塗布し、これら基礎中空体（１）に気体の充填口（４）を設け、基礎中空体（１）、救難を意味する文字の中空体（２ａ，２ｂ，２ｃ）には、内部に自動車（Ｘ）の排気ガスを充填すると共に、これら中空体には紐（５）を適宜の箇所に１又は複数本設け、これら紐の先端にはそれぞれフック（６）を設けたことを特徴とする救難用表示具から構成されるものである。
【００１１】
この考案の、基礎中空体（１）および英文字のＳＯＳ等の救難を意味する文字の中空体（２ａ）（２ｂ）（２ｃ）の大きさは、空中から発見・確認が可能な大きさが必要であり、縦１０ｍ、横、２０ｍくらいは必要であり、通常、自動車のトランク等に積載しておき、緊急時に取り出して充填口（４）より、排気ガスを充填し、紐（５）の先端に設けたフック（６）で自動車（Ｘ）のフロント側のグリルやサイドミラー、リヤー側の牽引フック等に引っかけて使用するものである。
【産業上の利用可能性】
【００１２】
この発明は、これら救難用表示具の製造技術を確立し、かつ、製造・販売することにより、産業上の利用可能性を有する。
【図面の簡単な説明】
【００１３】
【図１】この考案の一実施例を示す平面図である。
【図２】この考案の使用状態を示す平面図である。
【符号の説明】
【００１４】
１  基礎中空体
２  英文字のＳＯＳ等の救難を意味する文字の中空体
３  蛍光塗料等の発光塗料
４  充填口
５  紐
６  フック
Ｘ  自動車
【図１】
0003108150.tif 000003
【図２】
0003108150.tif 000004
(57)【要約】【課題】  体積を小さくして持ち運びを便利にした折り畳み可能な発泡マットを提供する。【解決手段】  発泡材１’を熱圧縮設備の下の型２に置く。上下の型２には、あらかじめ発泡材１’が発泡するための数個の成型穴２１が設けられている。成型穴２１には、成型のための模様が形成され、２つの成型穴２１の間には、成型穴２１より高い突起部２２が設けられている。発泡材１’が熱圧縮設備の上下の型２の成型穴２１に置かれた後、一定時間熱圧縮される際に、同時に、所定の位置（つまり、突起部２２）において、上下の型２がかなり近づくことにより、発泡する空間が制限される。発泡成型後、冷却されて完全な発泡マット１’になった時、全ての隣り合う２つの発泡面の間（つまり、型２の突起部２２によって圧縮された位置）にそれぞれ薄くなった平面の折り畳み面１３が形成される。【選択図】    図２
0003108192.tif 000002
【実用新案登録請求の範囲】
【請求項１】
発泡マットの両表面の、全ての隣り合う２つの発泡面の間にそれぞれ薄くなった平面の折り畳み面が設けられ、
発泡マットを折り畳んだ際の体積が減少され、移動や持ち運びが容易であることを特徴とする折り畳み可能な発泡マット。
【考案の詳細な説明】
【技術分野】
【０００１】
本考案は、折り畳み可能な発泡マットに関する。
【背景技術】
【０００２】
従来の床マットは、ただ成型機械によって製造された定型の平面の板状の形態で、使用の際に敷く場所の大きさに応じて切断して使用していた。現在出回っている製品の多くは、大きな面積のものが主で、必要に応じて小さく切断し、自分で組み合わせて使用する。一般に、浴室には大きい面積の浴室マットを並べて使用する。これは、小さい面積のマットを並べるより手間と時間の節約になり、便利であると同時に、マットを洗う際にも手早くできるからである。
【考案の開示】
【考案が解決しようとする課題】
【０００３】
しかしながら、このような大きな面積のマットは、移動の際不便で、持ち運びにも不便である。
【０００４】
したがって本考案の目的は、体積を小さくして持ち運びを便利にした折り畳み可能な発泡マットを提供することにある。
【課題を解決するための手段】
【０００５】
上述の目的を達成するために本考案の請求項に記載の折り畳み可能な発泡マットは、カラフルな発泡材を熱圧縮設備によって定型に製造する過程において成型される。熱圧縮される際に、上下の型の所定の位置で、上下の型がかなり近づくことにより、発泡する空間が制限される。発泡成型後、全ての隣り合う２つの発泡面の間にそれぞれ薄くなった平面の折り畳み面が形成される。したがって、本考案の折り畳み可能な発泡マットの構造は、数箇所の折り畳み面を有することで、折り畳んだ際の体積が小さくなり、移動や持ち運びが便利になるという実用効果がある。
【考案を実施するための最良の形態】
【０００６】
以下、本考案の実施例を図面に基づいて説明する。
図１、図２に示すように本考案の実施例による折り畳み可能な発泡マットの構造は、カラフルな発泡材１’を熱圧縮設備によって定型に製造する過程において成型される。まず、発泡材１’を熱圧縮設備の下の型２に置く。上下の型２には、あらかじめ発泡材１’が発泡するための数個の成型穴２１が設けられている。成型穴２１には、成型のための模様が形成され、２つの成型穴２１の間には、成型穴２１より高い突起部２２が設けられている。発泡材１’が熱圧縮設備の上下の型２の成型穴２１に置かれた後、一定時間熱圧縮される際に、同時に、図２に示すように所定の位置（つまり、突起部２２）において、上下の型２がかなり近づくことにより、発泡する空間が制限される。図３に示すように発泡成型後、冷却されて完全な発泡マット１’になった時、全ての隣り合う２つの発泡面の間（つまり、型２の突起部２２によって圧縮された位置）にそれぞれ薄くなった平面の折り畳み面１３が形成される。したがって、図４に示すように発泡マット１が浴室の床に敷かれた時、滑り止めの効果があり、発泡マット１のくぼみ穴１１、くぼみ模様１２及び薄くなった折り畳み面１３を利用して排水しやすいようになっている。
【０００７】
発泡マット１を移動させる場合は、発泡マット１表面の、薄くなった折り畳み面１３を利用して折り畳む。図５、図６に示すように、発泡マット１を折り畳む際は、表と裏に交互に折り畳むようになっている（つまり、Ｗ状）。このようにすることで、もともと大きかった面積が４分の１の面積になり、移動しやすくなる。
【０００８】
故に、本考案の実施例による折り畳み可能な発泡マットは、数箇所の折り畳み面があることで、折り畳んだ際の体積が小さくなり、移動や持ち運びが便利になるという実用効果がある。
【図面の簡単な説明】
【０００９】
【図１】本考案の実施例による折り畳み可能な発泡マットを成型する前の準備状態を示す図である。
【図２】本考案の実施例による折り畳み可能な発泡マットの成型前と成型後を示す図である。
【図３】本考案の実施例による折り畳み可能な発泡マットを広げた状態を示す図である。
【図４】本考案の実施例による折り畳み可能な発泡マットを示す図である。
【図５】本考案の実施例による折り畳み可能な発泡マットを折り畳む時の操作を示す図である。
【図６】本考案の実施例による折り畳み可能な発泡マットを折り畳んだ後の状態を示す立体図である。
【符号の説明】
【００１０】
１  発泡マット、１'  発泡材、２  型、１１  くぼみ穴、１２  くぼみ模様、１３  折り畳み面２１  成型穴、２２  突起部
【図１】
0003108192.tif 000003
【図２】
0003108192.tif 000004
【図３】
0003108192.tif 000005
【図４】
0003108192.tif 000006
【図５】
0003108192.tif 000007
【図６】
0003108192.tif 000008